(57)【要約】【課題】ロッドレンズアレイを用いた焦点調整不要な読取装置を提供すること。【解決手段】読取装置は、カバーガラス７と、ロッドレンズアレイ１と、フレーム２と、基板４とを備えている。ロッドレンズアレイ１は、カバーガラス７に対向する第１の面と、当該第１の面と反対の第２の面とを有している。ロッドレンズアレイ１の第２の面に対向配置される受光素子４１は、基板４に実装されている。フレーム２は、カバーガラス７に当接するカバー当接面２６ａと、ロッドレンズアレイ１の第１の面に当接するレンズ当接面２２とを有し、カバーガラス７及びロッドレンズ１の光軸方向の位置を決定している。さらに、ロッドレンズアレイ１の第２の面と基板４とに挟まれるように固定部材３が設けられており、ロッドレンズアレイ１と受光素子４１との相対位置を決定している。【選択図】図１
2010124189.tif 000002
【特許請求の範囲】
【請求項１】
原稿面の位置を規定するカバー部材と、
前記カバー部材に対向する第１の面と、当該第１の面と反対の第２の面とを有し、光軸が規定されるロッドレンズアレイと、
前記ロッドレンズアレイの前記第２の面に対向配置される受光素子が実装された基板と、
前記カバー部材に当接するカバー当接部と、前記ロッドレンズアレイの前記第１の面に当接するレンズ当接部とを有し、前記光軸方向における前記カバー部材及び前記ロッドレンズアレイの位置を決定するフレームと、
前記ロッドレンズアレイの前記第２の面と前記基板とに挟まれるように配置され、前記光軸方向における前記ロッドレンズと前記受光素子との相対位置を決定する固定部材と
前記フレームに対して前記基板及び前記固定部材を保持する保持手段と
を備えたことを特徴とする読取装置。
【請求項２】
前記保持手段は、前記基板を、前記光軸方向において、前記固定部材に対して付勢する付勢手段を含むことを特徴とする請求項１に記載の読取装置。
【請求項３】
前記付勢手段は、前記フレームに取り付けられる保持部材と、前記保持部材と前記基板との間に設けられた弾性部材とを含むことを特徴とする請求項２に記載の読取装置。
【請求項４】
前記付勢手段は、前記フレームに取り付けられ、なお且つ弾性を有する保持部材であることを特徴とする請求項２に記載の読取装置。
【請求項５】
前記付勢手段は、前記ロッドレンズアレイのレンズ要素の配列方向に直交する副走査方向において、前記フレームの側面を内側に付勢するように構成されていることを特徴とする請求項２から４までのいずれか１項に記載の読取装置。
【請求項６】
前記フレームは、前記光軸方向における前記カバー部材と反対の側に、前記固定部材を収容する収容凹部を有し、さらに、前記収容凹部に連通して、前記ロッドレンズアレイを組み込むための組み込み穴を有することを特徴とする請求項１から５までのいずれか１項に記載の読取装置。
【請求項７】
前記固定部材は、前記ロッドレンズアレイの前記第２の面に当接する当接面と、当該当接面から突出する突出部とを有し、
前記フレームは、前記組み込み穴に隣接して、前記固定部材の前記突出部が挿入される挿入凹部を有することを特徴とする請求項６に記載の読取装置。
【請求項８】
前記フレームは、前記収容凹部を囲む壁部に、前記基板に対向する対向面を有し、
前記壁部の前記対向面と前記基板との間に、防塵部材が配置されていることを特徴とする請求項６又は７に記載の読取装置。
【請求項９】
前記フレームは、前記ロッドレンズアレイのレンズ要素の配列方向に直交する副走査方向において、前記カバー部材の端面に当接してその前記副走査方向の位置を決定する当接面を有することを特徴とする請求項１から８までのいずれか１項に記載の読取装置。
【請求項１０】
前記固定部材は、前記ロッドレンズアレイのレンズ要素の配列方向において、一定間隔をあけて複数個配置されていることを特徴とする請求項１から９までのいずれか１項に記載の読取装置。
【発明の詳細な説明】
【技術分野】
【０００１】
本発明は、コピー機等に用いられる読取装置に関する。
【背景技術】
【０００２】
近年、コピー機の裏面読み取り、ファクシミリ装置の原稿読み取りセンサ、紙幣を認識する認識センサ、パーソナルコンピュータ用のスキャナなどに、小型の密着型イメージセンサが用いられている。密着型イメージセンサは、原稿面を主走査方向に複数領域に分割し、複眼レンズを用いて画像を読み取るものである。複眼レンズとしては、半径方向に所定の関数で規定される屈折率分布を有するロッドレンズを複数配列したロッドレンズアレイを用い、正立等倍像を得ている。
【０００３】
ロッドレンズアレイの焦点深度は非常に浅く、共役長Ｔｃ（原稿読取り位置から受光素子までの物体像面間距離）の中心に対してロッドレンズアレイが少しでもずれると、ＭＴＦ（Modulation  Transfer  Function）の低下が著しい。これに対して、ロッドレンズアレイの中心と共役長の中心とを一致させれば、共役長の長さが少々違っても、ＭＴＦの低下が少ないことが知られている（例えば、特許文献１参照）。
【０００４】
ここで、組み立て性を向上するため、フレームに固定したロッドレンズアレイの上に、ロッドレンズアレイの焦点距離に応じた板厚のカバーガラスを当接させて固定した密着型イメージセンサの取り付け構造が提案されている（例えば、特許文献２参照）。この取り付け構造によれば、原稿読み取り位置（カバーガラスの表面）からロッドレンズアレイまでの距離がカバーガラスの板厚によって決定されるため、焦点距離の調整作業が不要になる。
【０００５】
【特許文献１】特開２０００−３２２１４号公報（段落００１２、図１２）
【特許文献２】特開平１０−１９０９０９号公報（段落００２９、図１）
【発明の開示】
【発明が解決しようとする課題】
【０００６】
しかしながら、上記の取り付け構造では、ロッドレンズアレイの焦点距離に合わせてカバーガラスの板厚を変更する必要があるため、条件に合ったカバーガラスの入手が難しい場合がある。また、カバーガラスは、ロッドレンズアレイの副走査方向の中心位置にのみ当接して固定されているため、カバーガラスの副走査方向の傾きが発生し易い。加えて、ロッドレンズアレイの高さにばらつきがあると、フレームに対するカバーガラスの光軸方向の位置がばらつくこととなるため、原稿読み取り位置に対する受光素子の位置決めが難しくなる。
【０００７】
本発明は、上記の課題を解決するためになされたものであり、その目的は、カバーガラスをフレームに対して一定の位置に且つ安定した姿勢に保つと共に、カバー部材の板厚の選択の幅を広げ、なお且つ、ロッドレンズアレイの中心位置と共役長の中心とを精度良く一致させることができる読取装置を提供することにある。
【課題を解決するための手段】
【０００８】
本発明に係る読取装置は、原稿面の位置を規定するカバー部材と、カバー部材に対向する第１の面と、当該第１の面と反対の第２の面とを有し、光軸が規定されるロッドレンズアレイと、ロッドレンズアレイの第２の面に対向配置される受光素子が実装された基板と、カバー部材に当接するカバー当接面と、ロッドレンズアレイの第１の面に当接するレンズ当接面とを有し、光軸方向におけるカバー部材とロッドレンズアレイの位置を決定するフレームと、ロッドレンズアレイの第２の面と基板とに挟まれるように配置され、光軸方向におけるロッドレンズと受光素子との相対位置を決定する固定部材と、フレームに対して基板及び固定部材を保持する保持手段とを備えて構成される。
【発明の効果】
【０００９】
本発明によれば、フレームによってカバー部材の位置が決定されるため、カバー部材をフレームに対して一定の位置に且つ安定した姿勢に保つことができる。また、（ロッドレンズアレイの焦点距離に応じた板厚のカバーガラスを用いていた従来構成と比較して）カバーガラスの選択の幅が広がる。また、フレームによってロッドレンズアレイと原稿面（カバー部材の表面）との距離が決定され、レンズ固定部材によってロッドレンズアレイと受光素子との距離が決定されるため、ロッドレンズアレイの高さのばらつきが発生しても、常に共役長Ｔｃの中心とロッドレンズアレイの中心とを一致させることができる。
【発明を実施するための最良の形態】
【００１０】
次に、本発明の実施の形態について、図面を参照して説明する。
図１及び図２は、本発明の一実施の形態における読取装置の構成を示す断面図及び分解斜視図である。まず、図１を参照して、読取装置の構成について説明する。
【００１１】
図１に示すように、読取装置１０は、原稿が載置される板状のカバーガラス７（カバー部材）と、このカバーガラス７が取り付けられたフレーム２とを備えている。フレーム２内には、カバーガラス７に対向するように、２つの導光体８が平行に並んで配置されている。２つの導光体８の間には、ロッドレンズアレイ１が配置されており、レンズ固定部材３によりフレーム２に固定されている。フレーム２の下側（カバーガラス７と反対の側）には、複数の受光素子４１が一方向に配列された基板４が、コイルばね（弾性部材）５及びアタッチメント６（保持手段、保持部材）により取り付けられている。
【００１２】
なお、以下の説明では、カバーガラス７の表面に直交する方向をＺ方向とし、受光素子４１から原稿に向かう方向を＋Ｚ方向、その反対方向を−Ｚ方向とする。また、Ｚ方向に直交するＸＹ面内において、基板４の受光素子４１の配列方向（主走査方向）をＸ方向とし、Ｘ方向に直交する方向（副走査方向）をＹ方向とする。
【００１３】
カバーガラス７は、Ｘ方向（主走査方向）に長い長方形の板状部材であり、光を透過する材料（ここでは透明ガラス）により構成されている。
【００１４】
導光体８は、Ｘ方向に長い２つの円柱状部材であり、光を透過する材料（ここでは透明アクリル樹脂等）により構成されている。導光体８は、照明光を伝達して原稿面を照明するものであり、後述するように、できるだけカバーガラス７に近づけて配置される。各導光体８は、そのＸ方向端部において、下方（−Ｚ側）に屈曲した鉛直部８１（図２）を有しており、この鉛直部８１は基板４に設けられた発光素子４４（図２）に対向している。また、各導光体８は、その長手方向端部の近傍において、取り付け板８２（図２）を介してフレーム２に取り付けられている。
【００１５】
フレーム２は、Ｘ方向に長いブロックであり、そのＹ方向両側には外壁を規定する一対の壁部２６が形成されている。各壁部２６の上端部すなわち＋Ｚ方向の端部には、カバーガラス７が固定される、ＸＹ面に平行なカバー当接面（カバー当接部）２６ａが形成されている。このカバー当接面２６ａには、両面テープ、接着剤等を用いて、カバーガラス７が固定される。また、壁部２６の上端部には、カバー当接面２６ａに固定されたカバーガラス７のＹ方向両端面（幅方向端面）に当接する当接端面２６ｂも形成されている。
【００１６】
フレーム２において、壁部２６の内側には、２つの導光体８が収容される２つの凹部２８が形成されている。各凹部２８は、略半円筒状の底面を有しており、中央部２９を間に挟んで平行に、Ｘ方向に延在している。
【００１７】
フレーム２の中央部２９には、ロッドレンズアレイ１を収容するレンズ組み込み穴２１が形成されている。レンズ組み込み穴２１は、Ｘ方向に長い矩形状の穴であり、下側（−Ｚ側）からロッドレンズアレイ１が収容される。フレーム２の中央部２９において、レンズ組み込み穴２１の上端に位置する部分には、原稿面からの光を通過させてロッドレンズアレイ１に入射させる光透過孔２１ａと、ロッドレンズアレイ１の上端面（第１の面）に当接するレンズ当接面２２とが形成されている。
【００１８】
レンズ組み込み穴２１に挿入されたロッドレンズアレイ１は、レンズ当接面２２に当接することにより、フレーム２に対するＺ方向（光軸方向）の位置が決定される。すなわち、ロッドレンズアレイ１の上面から原稿面までの距離は、フレーム２におけるカバー当接面２６ａからレンズ当接面２２までの距離Ａと、カバーガラス７の厚みと（カバーガラス７を両面テープで固定した場合には、さらに両面テープの厚みと）により決定される。
【００１９】
フレーム２の下側すなわち−Ｚ側には、壁部２６の内側に位置する収容凹部２Ａが形成されており、この収容凹部２Ａには、ロッドレンズアレイ１をレンズ組み込み穴２１に固定するためのレンズ固定部材３が設けられている。レンズ固定部材３は、２つで一組となってＹ方向に対向し合っており、Ｘ方向に複数組設けられている（図２参照）。
【００２０】
各レンズ固定部材３は、略直方体形状の本体部３０と、この本体部３０の上面から＋Ｚ方向に延在する板状の挿入部（突出部）３４とを有している。各レンズ固定部材３の本体部３０の上面において、挿入部３４のＹ方向内側に位置する面は、レンズ当接面（レンズ当接部）３１を規定している。
【００２１】
フレーム２におけるレンズ組み込み穴２１のＹ方向両側には、各レンズ固定部材３の挿入部３４を挿入するための挿入凹部２３が形成されている。挿入凹部２３は、２つで一組となってＹ方向に対向し合っており、Ｘ方向に複数組形成されている。
【００２２】
レンズ固定部材３の挿入部３４は、フレーム２の挿入凹部２３と、（レンズ組み込み穴２１に挿入された）ロッドレンズアレイ１との隙間に挿入される。この状態で、レンズ固定部材３の上面のレンズ当接面３１は、ロッドレンズ１の下端面（第２の面）に当接する。また、各レンズ固定部材３の本体部３０の下面すなわち−Ｚ側の面において、Ｙ方向外側の端部の近傍には、ガイドピン３３が突出形成されている。
【００２３】
側壁２６の下端２７（−Ｚ側の端部）には、収容凹部２Ａ内の固定部材３の下面に当接するように、基板４が取り付けられている。この基板４の上面の中央部には、上述した複数の受光素子４１がＸ方向に配列されている。受光素子４１は、ロッドレンズアレイ１の光軸上に位置しており、ロッドレンズアレイ１を通過した光が上述した各組２つのレンズ固定部材３の間を通って受光素子４１に入射するようになっている。基板４の上面がレンズ固定部材３の下面（基板当接面３２）に当接しているため、ロッドレンズアレイ１の下面から受光素子４１までの距離は、レンズ固定部材３におけるレンズ当接面３１から基板当接面３２までの距離Ｂと、受光素子４１の高さとによって決定される。
【００２４】
ここで、本実施の形態では、フレーム２の下端２７と基板４との隙間がロッドレンズアレイ１の高さＣのばらつきにより変化し得るため、この隙間からゴミが侵入して受光素子４１に付着すると、画素の欠落により画像の劣化を招く可能性がある。そこで、受光素子４１にゴミが付着しないよう、弾性変形可能な防塵ゴム９（防塵部材）を、フレーム２の下端２７の溝部２７ａに配置している。また、基板４には、レンズ固定部材３の下面に突出形成されたガイドピン３３を貫通させる貫通穴４２が形成されている。
【００２５】
基板４のさらに下側（−Ｚ側）には、この基板４をフレーム２に対して固定するアタッチメント６が取り付けられている。アタッチメント６は、略コの字状の断面を有してＸ方向に長く形成されている。アタッチメント６は、略コの字をなす底板部６１とその両側の側腕部６２とを有している。側腕部６２には、フレーム２の壁部２６の両側面（Ｙ方向における両端面）に突出形成された係合用突起２４に係合する係合穴６３が形成されている。
【００２６】
アタッチメント６の底板部６１には、レンズ固定部材３のガイドピン３３の下端部が係合する穴部６４が形成されている。また、アタッチメント６の底板部６１と基板４との間には、コイルばね５が圧縮状態で設けられており、このコイルばね５は、上記のガイドピン３３の周囲に配置されている。
【００２７】
アタッチメント６の両側腕部６２の係合穴６３がフレーム２の係合用突起２４に係合すると、コイルばね５の弾性力により基板４がレンズ固定部材３に押し当てられ、さらにレンズ固定部材３がロッドレンズアレイ１に押し当てられる。これにより、フレーム２、ロッドレンズアレイ１、レンズ固定部材３、基板４及びアタッチメント６が一体として保持される。
【００２８】
次に、本実施の形態における読取装置１０の組み立て方法について説明する。図３乃至図８は、読取装置１０の組み立て方法を示す斜視図であり、いずれも読取装置１０を−Ｚ側（すなわち原稿とは反対の側）から見た斜視図に相当する。
【００２９】
まず、フレーム２の壁部２６に、導光体８が取り付けられた取り付け板８２（図２参照）を固定し、さらに、フレーム２のカバー当接面２６ａにカバーガラス７を接着等により固定する。なお、この工程は、後述するようにフレーム２、ロッドレンズアレイ１、レンズ固定部材３、基板４、コイルばね５及びアタッチメント６を固定した後で行っても良い。
【００３０】
次に、図３に示すように、フレーム２のレンズ組み込み穴２１に、ロッドレンズアレイ１を−Ｚ側から挿入する。これにより、フレーム２のレンズ当接面２２（図１）に、ロッドレンズアレイ１の＋Ｚ側の端面（ロッドレンズアレイの第１の面）が当接する。
【００３１】
次いで、図４に示すように、レンズ組み込み穴２１に挿入されたロッドレンズ１と、フレーム２の挿入凹部２３とにより形成された矩形状の穴に、レンズ固定部材３の挿入部３４を−Ｚ側から挿入する。これにより、ロッドレンズアレイ１の−Ｚ側の端面（ロッドレンズアレイの第２の面）と、レンズ固定部材３のレンズ当接面３１とが当接し、レンズ固定部材３のＺ方向（光軸方向）の位置が決定される。
【００３２】
さらに、図５に示すように、フレーム２の下端２７の溝部２７ａに、防塵ゴム９を装着する。
【００３３】
次に、図６に示すように、基板４を、フレーム２の下端２７に取り付ける。このとき、基板４は、受光素子４１が実装された面をロッドレンズアレイ１側（＋Ｚ側）に向けて、レンズ固定部材３に当接するように取り付けられる。基板４の貫通穴４２には、レンズ固定部材３のガイドピン３３が挿入される。また、フレーム２のＸ方向両端に設けられた一対の位置決めピン２５（図６にはフレームのＸ方向の一端部のピンのみ示す）が、基板４に設けられた位置決め穴４５に係合し、これにより基板４のフレーム２に対するＸ方向・Ｙ方向の位置決めがなされる。なお、位置決め穴４５及び位置決めピン２５による位置決めを行うのは、レンズ固定部材３のガイドピン３３のＸ方向、Ｙ方向の位置精度が高くないためである。
【００３４】
次に、図７に示すように、基板４の裏面側（受光素子４１が実装されている面と反対側）にコイルばね５を配置する。このとき、コイルばね５を、その内側にレンズ固定部材３のガイドピン３３が挿入されるように取り付けることができるため、コイルばね５の取り付けが容易になる。
【００３５】
次に、図８に示すように、アタッチメント６の係合穴６３を、フレーム２の係合用突起２４に係合させることで、アタッチメント６をフレーム２に取り付ける。このとき、レンズ固定部材３のガイドピン３３が、アタッチメント６の穴部６４に係合する。
【００３６】
図１に示すように、コイルばね５は、アタッチメント６と基板４との間で圧縮される。圧縮されたコイルばね５の付勢力により、基板４がレンズ固定部材３の本体部３０の下面（基板当接面３２）に押し当てられる。これにより、レンズ固定部材３のレンズ当接面３１がロッドレンズアレイ１に押し当てられ、さらに、ロッドレンズアレイ１の＋Ｚ側の端面（ロッドレンズアレイの第１の面）がフレーム２のレンズ当接面２２に押し当てられる。
【００３７】
このようにして、読取装置１０が組み立てられると共に、カバーガラス７、ロッドレンズアレイ１、レンズ固定部材３及び基板４の相互の光軸方向の位置が決定される。この状態で、カバーガラス７の表面に載置された原稿の原稿面の像が、ロッドレンズアレイ１により、基板４上の受光素子４１に結像する状態となる。
【００３８】
このように構成された読取装置１０は、フレーム２の寸法Ａを適切に設定することにより、ロッドレンズアレイ１と原稿面７との距離を決定することができ、レンズ固定部材３の寸法Ｂを適切に設定することにより、ロッドレンズアレイ１と受光素子４１との距離を決定することができるため、ロッドレンズアレイ１の高さＣのばらつきが発生しても、常に共役長Ｔｃの中心とロッドレンズアレイ１の中心とが一致する。従って、ＭＴＦの低下を抑制することができる。
【００３９】
すなわち、ロッドレンズアレイ１の高さＣが１ｍｍ伸びたと仮定すると、ロッドレンズアレイ１の中心位置は０．５ｍｍ（＝１ｍｍ÷２）だけ下方に変位することになる。一方、原稿面から受光素子４１までの距離（Ｔｃ）も１ｍｍ伸びるため、共役長Ｔｃの中心はやはり０．５ｍｍ（＝１ｍｍ÷２）だけ下方に変位することになる。そのため、この状態でも、共役長Ｔｃの中心とロッドレンズアレイ１の中心とが一致する。
【００４０】
また、カバーがロッドレンズアレイを介してフレームに取り付けられている従来装置（特許文献２参照）と比較して、本実施の形態の読取装置１０では、カバーガラス７がフレーム２に直接固定されているため、カバー２の位置（すなわち原稿面の位置）はロッドレンズアレイ１の高さＣのばらつきの影響を受けない。
【００４１】
なお、基板４は、ロッドレンズアレイ１を介してフレーム２に取り付けられているため、基板４の位置はロッドレンズアレイ１の高さＣのばらつきの影響を受ける。しかしながら、アタッチメント６がコイルばね５を介して基板４をフレーム２に固定しているため、基板４の位置のばらつきをコイルばね５の伸縮で吸収することができる。そのため、読取装置１０の総高さＤ（カバーガラス７の表面からアタッチメント６の下面までの長さ）は、ロッドレンズアレイ１の高さＣのばらつきの影響を受けない。
【００４２】
また、カバーガラス７のＹ方向両端面が、フレーム２の当接端面２６ｂに当接して位置決めされるため、Ｙ方向の位置ずれや傾きが防止される。
【００４３】
さらに、ロッドレンズアレイの焦点距離に応じた板厚のカバーガラスを用いていた従来装置（特許文献２参照）と比較して、カバーガラス７の板厚を、導光体８の形状・配置並びに読取装置の用途に応じて自由に選択することができる。少ない光量で原稿面を十分に照明するためには、導光体８を原稿面に近づけて配置する方が有利であり、そのためには、カバーガラス７の厚みを薄くして導光体８を原稿面に近づけることは有効な手段である。
【００４４】
ところで、ロッドレンズアレイを用いた読取装置は、その用途によって主走査方向（Ｘ軸方向）の長さが異なる。紙幣の認識センサとして用いる場合、主走査方向の長さは、短いもので６０ｍｍから１００ｍｍ程度であり、このような場合には、カバー、フレーム、ロッドレンズアレイ及び基板の反りによる焦点の位置ずれは問題とならない。一方、コピー機において裏面読み取りセンサとして用いられる場合、読取装置の主走査方向の長さは、Ａ３用紙対応の３００ｍｍ程度から、Ａ０用紙対応の９３０ｍｍ程度の長さにまで及ぶ。このような場合には、カバー、フレーム、ロッドレンズアレイ及び基板の反りにより、主走査方向の各位置において焦点の位置ずれが発生する場合がある。
【００４５】
しかしながら、本実施の形態における読取装置１０では、カバーガラス７がフレーム２に両面テープや接着剤等で固定されているため、主走査方向の各位置において、カバーガラス７の裏面からフレーム２のレンズ当接面２２までの距離Ａ（図１）が変動することはない。また、上述したように、コイルばね５の付勢力により、基板４がレンズ固定部材３に押し当てられ、レンズ固定部材３がロッドレンズアレイ１に押し当てられ、さらにロッドレンズアレイ１がフレーム２に押し当てられているため、主走査方向の各位置において、ロッドレンズアレイ１の−Ｚ側の端面（ロッドレンズアレイの第２の面）から基板４１の実装面（＋Ｚ側の端面）までの距離Ｂが変動することもない。
【００４６】
すなわち、主走査方向の長さが例えばＡ０対応の９３０ｍｍ程度である読取装置１０において、カバーガラス７、フレーム２、ロッドレンズアレイ１又は基板４に反りがあったとしても、焦点の位置ずれが生ずることはない（この場合、反りは矯正されることになる）。
【００４７】
また、複写機の本体等に読取装置１０を取り付ける際、フレーム２に撓みが生じた場合や、逆に撓みが矯正された場合であっても、カバーガラス７とロッドレンズアレイ１との距離及びロッドレンズアレイ１と基板４との距離が、主走査方向の各位置で変化しないため、焦点位置のずれが生じることもない。
【００４８】
次に、ロッドレンズアレイ１の副走査方向（Ｙ方向）の傾きについて説明する。ロッドレンズアレイ１の幅すなわちＹ方向の寸法Ｅ（図１）は、高さＣと同様、ばらつきが生じる場合がある。そのため、フレーム２に設けられたレンズ組込み穴２１のＹ方向の内側寸法は、ロッドレンズアレイ１のＹ方向の寸法Ｅの公差範囲を考慮した最大値よりも大きく設定されている。この場合、レンズ組込み穴２１の中で、ロッドレンズアレイ１の光軸が傾き、読取画像の劣化を招くことが考えられる。
【００４９】
ここで、図３に示すように、フレーム２は、一対の壁部２６が主走査方向の両端でつながる「ロの字」の構造となっている。このため、フレーム２が樹脂等で構成されている場合には、壁部２６がＹ方向に撓む（弾性変形する）ことができる。そこで、フレーム２に係合するアタッチメント６を、例えば、ばね性を有する部材（ステンレス鋼、りん青銅等）で構成し、アタッチメント６の弾性力によりフレーム２を図１に示すＦ方向（Ｙ方向内側）に弾性変形させ、壁部２６によりロッドレンズアレイ１を挟み込むようにすることが好ましい。
【００５０】
このようにすれば、ロッドレンズアレイ１とレンズ組み込み穴２１とのＹ方向の隙間がなくなるため、ロッドレンズアレイ１の光軸の傾きを抑えることができる。なお、この場合、カバーガラス７をフレーム２に両面テープ等で固定する工程は、アタッチメント６をフレーム２に取り付けた後に行うことが好ましい。
【００５１】
なお、本実施の形態では、基板４を付勢するためにコイルばね５を用いたが、アタッチメント６を上述のようにばね性を有する材料で作製する場合は、アタッチメント６のばね性を利用して（例えばアタッチメント６を板ばねとして構成する等して）、基板４を付勢するようにしてもよい。
【００５２】
以上説明したように、本実施の形態に示す読取装置１０によれば、カバーガラス７の位置がフレーム２のカバー当接面２６ａにより決定されるため、カバーガラス７を一定の位置に且つ安定した姿勢に保つことができる。また、カバーガラスの板厚を任意に選択することができる。また、ロッドレンズアレイ１の高さＣがばらついても、ロッドレンズアレイ１の中心と共役長Ｔｃの中心とを一致させることができるため、ＭＴＦの低下を抑制することができる。
【００５３】
また、ロッドレンズアレイ１と基板４との相対位置関係がレンズ固定部材３の部品精度によって決定され、読取装置１０の組み立てにより、カバーガラス７、ロッドレンズアレイ１、レンズ固定部材３及び基板４のＺ方向の各位置が決定されるため、ロッドレンズアレイ１の焦点調整のための作業が不要となる。
【００５４】
なお、上述したコイルばね５、アタッチメント６等を使用せずに、基板４をレンズ固定部材３に当接させた状態で、基板４とフレーム２とを接着剤やねじ等により固定することも可能である。しかしながら、本実施の形態のように、ロッドレンズアレイ１及び基板４をフレーム２に組み込む際に、ねじや接着剤等を使用せずに、アタッチメント６の係合穴６３とフレーム２の係合用突起２４との係合（スナップフィット）及びコイルばね５の付勢力を利用することにより、組立性を向上することができる。さらに、読取装置１０の分解や、フレーム２からのロッドレンズアレイ１及び基板４の分離を容易に行うことができるため、構成部品の分別及び再資源化が容易となる。
【００５５】
また、カバーガラス７のＹ方向における位置は、フレーム２によって決定されるため、Ｙ方向の傾きを生じることもない。
【００５６】
アタッチメント６をばね材（弾性部材）で形成し、フレーム２を副走査方向内側に付勢するように構成すれば、フレーム２の枠部２６でロッドレンズアレイ１を副走査方向に挟み込んでフレーム２とロッドレンズアレイ１との隙間をなくし、ロッドレンズアレイ１の光軸の傾きを解消することができる。
【図面の簡単な説明】
【００５７】
【図１】本発明の実施の形態における読取装置の構成を示す断面図である。
【図２】本発明の実施の形態における読取装置の構成を示す分解斜視図である。
【図３】本発明の実施の形態における読取装置の組み立て工程を示す斜視図である。
【図４】本発明の実施の形態における読取装置の組み立て工程を示す斜視図である。
【図５】本発明の実施の形態における読取装置の組み立て工程を示す斜視図である。
【図６】本発明の実施の形態における読取装置の組み立て工程を示す斜視図である。
【図７】本発明の実施の形態における読取装置の組み立て工程を示す斜視図である。
【図８】本発明の実施の形態における読取装置の組み立て工程を示す斜視図である。
【符号の説明】
【００５８】
１  ロッドレンズアレイ、  ２  フレーム、  ２１  レンズ組込み穴、  ２２  レンズ当接面、  ２３  挿入凹部、  ２４  係合用突起、  ２５  位置決めピン、  ２６ａ  カバー当接面、  ２６ｂ  当接端面、  ２７  下端、  ２７ａ  溝部、  ３  レンズ固定部材、  ３１  レンズ当接面、  ３２  基板当接面、  ３３  ガイドピン、  ３４  挿入部、  ４  基板、  ４１  受光素子、  ４２  貫通穴、  ５  コイルばね、  ６  アタッチメント、  ６３  係合穴、  ６２  穴部、  ７  カバーガラス、  ８  導光体、  ８２  取り付け板、  ９  防塵ゴム、  Ａ  レンズ当接面からカバー当接面までの寸法、  Ｂ  レンズ当接面から基板当接面までの寸法、  Ｃ  ロッドレンズアレイの高さ、  Ｄ  読取装置１０の高さ、  Ｅ  ロッドレンズアレイの幅、  Ｆ  アタッチメントの付勢力の方向、  Ｔｃ  ロッドレンズアレイの共役長。
【図１】
2010124189.tif 000003
【図２】
2010124189.tif 000004
【図３】
2010124189.tif 000005
【図４】
2010124189.tif 000006
【図５】
2010124189.tif 000007
【図６】
2010124189.tif 000008
【図７】
2010124189.tif 000009
【図８】
2010124189.tif 000010